(57)【要約】      （修正有）【課題】折り畳んで運搬が容易で、簡単に設定できる移動式草刈用飛散防止専用ネットの組立てセットを提供する。【解決手段】小石は不通過であるが風透過性を有する長方形のネット部材と、左右一対の支持管又は支持棒１１を中央ジョイントで繋いでなる横架部材と、横架部材を吊下げ保持する背負いベルト１６とからなり、作業者が一対の支持管等を両手に持ってバランスさせ移動させる移動式防護ネットを構成し、ネット部材の上部長辺には一定間隔で吊下げリング１５を取付け、支持管等に挿通してネット部材を支持管又は支持棒に沿ってスライドして拡縮可能に取り付け、水平長手方向に広げて設置可能である一方、ネット部材の下部長辺には一定間隔で垂直方向に重力を付与する複数のネット重し１３を備え、ネット重しはネット部材の設置時には地上にあってネット部材には実質的に重力を与えずネット部材の風圧による吹き上がりは重力によって防止する。【選択図】図１
0003149175.tif 000002
【実用新案登録請求の範囲】
【請求項１】
草刈現場の道路沿いに設置され、草刈時に飛び石飛散を防護するための防護ネットであって、小石は不通過であるが風透過性を有し、凡そ作業性のよい長さ高さの長方形に形成されたネット部材(10)と、ネット部材(10)を支持する左右一対の支持管又は支持棒(11,11)を中央ジョイント(11a)で繋いで成る横架部材と、作業者に装着され、横架部材を吊下げ保持する背負いベルト(16)とからなり、作業者が一対の支持管又は支持棒(11,11)を両手に持ってバランスさせ移動させる移動式防護ネットを構成し、
上記ネット部材(10)はその上部長辺に一定間隔で吊下げリング(15)が取り付けられ、上記支持管又は支柱棒(11)に挿通して上記ネット部材(10)を上記支持管又は支持棒(11)に沿ってスライドして拡縮可能に取り付け、水平長手方向に広げて張設可能である一方、該ネット部材の下部長辺に一定間隔で垂直方向に重力を付与する複数のネット重し(13 ・・・) を備え、該ネット重し(13)はネット部材の張設時には地上にあってネット部材には実質的に重力を与えずネット部材の風圧による吹き上がり開始時には重力を付与して吹き上がりを防止可能であることを特徴とする移動式草刈用飛散防止専用ネットの組み立てセット。
【請求項２】
上記ネット重し(13)が取り付け紐付きゴム重しである請求項１記載の移動式草刈用飛散  防止専用ネットの組み立てセット。
【考案の詳細な説明】
【技術分野】
【０００１】
この考案は、草刈時に飛散する飛び石の飛散を防護する移動式草刈用飛散防止専用ネットの組み立てセットに関する。
【背景技術】
【０００２】
従来、道路際および道路センターラインの分離帯における草刈作業は高速回転する草刈刃が誤って小石や空き缶を飛散させ、道路を通行する自動車および人間を傷つける場合が少なくない。そのため、近年飛び石等の飛散事故を防止するため、道路わきの草を刈り取る作業の際に、電動刈取機で草を刈る作業者とは別の作業者が、コンパネ、ベニヤ等の板材を路側に立ててこれを保持し、この板材を保持した作業者が、草刈り作業の進行に伴って移動し、飛散防止を行っている。しかしながら、飛び石等の飛散距離は草刈位置の前方５メートル以上に及び、これに見合う長尺の板材等を保持し、草刈り作業とともに、前方に移動する作業は重労働である。そこで、車輪移動式で、草や小石等の飛散を防止する防止ネットが提案されている（例えば、特許文献１）。これは、金属フレームの内部にネットを張り、持ち運びのための持手を付けると共に、別体の駆体に重ね合わせて使用することにより、車輪による自走を可能としたものであるが、四角形のフレームにネットを張っているために嵩張り、持ち運びに不便で、作業現場までの搬送の際に、荷台を有するトラック等を必要とするという問題があった。また、自立自走させることが前提であるため、サイズをそれほど大きくできず、そのため、草刈り作業の進行に伴って頻繁に移動させなくてはならず、草刈り作業が度々中断されるという問題があった。そこで、道路わきのガードレール等の柵体を利用すべくガードレールに、スライド可能に係止可能な係合部をネットに一定間隔で設置させることにより、ガードレールに沿って拡縮可能となし特に草刈作業の進行方向の長手方向に、広範囲にわたって延在させる防護ネットが提案されている（特許文献２）。しかしながら、すべての草刈位置にガードレールが設置されているわけでなく、利用範囲が極めて限定されるという不具合がある。
【０００３】
【特許文献１】実用新案登録第３１０７６４９号公報
【特許文献２】特開２００７−３７４２７号
【考案の開示】
【考案が解決しようとする課題】
【０００４】
そこで、本考案は折り畳んで運搬が容易であるとともに、ガードレールがなくても簡単に設定できる移動式草刈用飛散防止専用ネットの組み立てセットを提供することを課題とし、鋭意検討の結果、軽量ネットを支持管又は支持棒で保持しても中央で背負いベルトに吊り下げ左右でバランスさせ保持すれば、ネットを張設した状態でも作業者一人でも運搬移動が容易であることを見出した。
【課題を解決するための手段】
【０００５】
本考案は草刈現場の道路沿いに設置され、草刈時に飛び石飛散を防護するための防護ネットであって、小石は不通過であるが風透過性を有し、凡そ作業性のよい、例えば長さ４〜６ｍ高さ９０〜１２０ｃｍの長方形に形成されたネット部材１０と、ネット部材１０を支持する左右一対の支持管又は支持棒１１，１１を中央ジョイント１１ａで繋いで成る横架部材と、作業者に装着され、横架部材を吊下げ保持する背負いベルト１６とからなり、作業者が一対の支持管又は支持棒１１，１１を両手に持ってバランスさせ移動させる移動式防護ネットを構成し、
上記ネット部材１０はその上部長辺に一定間隔で吊下げリング１５が取り付けられ、上記支柱棒１１に挿通して上記ネット部材１０を上記支持管又は支持棒１１に沿ってスライドして拡縮可能に取り付け、水平長手方向に広げて張設可能である一方、該ネット部材の下部長辺に一定間隔で垂直方向に重力を付与する複数のネット重し１３、・・・を備え、該ネット重し１３はネット部材の張設時には地上にあってネット部材には実質的に重力を与えずネット部材の風圧による吹き上がり開始時には重力を付与して吹き上がりを防止可能であることを特徴とする移動式草刈用飛散防止専用ネットの組み立てセットにある。
【考案の効果】
【０００６】
本考案のネットは折り畳み収納運搬が容易であり、ガードレールのない場所でも容易に組み立て使用できる。また、ネット支持管又は支持棒を左右でバランスさせ、中央で背負いベルトに吊り下げ保持するので、ネットを張設した状態でも作業者一人で運搬移動が容易である。しかもネットは小石は飛散を防止する一方、風は通し、強風でのあおりがないように重しがあるので、飛散防止ミスがない。したがって、あらゆる場所での草刈り作業に適用することができ、実用価値は極めて高い。
【考案を実施するための最良の形態】
【０００７】
本考案は草刈現場の道路沿いに設置され、草刈時に飛び石飛散を防護するための移動式防護ネットであって、図1に示すように直径５ｍｍ以上の小石は不通過であるが風透過性を有し、凡そ長さ６〜８ｍ高さ９０ｃｍから１２０ｃｍの略長方形に形成されたネット部材１０と、ネット部材１０を支持する左右一対の長さ３〜４ｍの支持管又は支持棒１１，１１を中央ジョイント１１ａで繋いで成る横架部材と、作業者に装着され、横架部材１１を吊下げる保持する背負いベルト１６とからなり、作業者が一対の支持管又は支持棒１１，１１を両手に持ってバランスさせ移動させる防護ネットを構成する。
【０００８】
上記ネット部材１０は運搬時はゴム紐１７で束ねて搬送する（図３）。このネット部材１０の上部長辺には、一定間隔で目印リボン１４と吊下げリング１５が取り付けられている。他方、上記一対の支柱棒１１、１１を中央ジョイント１１ａで連結して長尺とすることができる。そこで、この長尺とした支持管又は支持棒１１（横架部材Ｓ）に吊り下げリング１５を挿通して上記ネット部材１０を上記支持管又は支持棒１１に沿ってスライドして拡縮可能であるから、水平長手方向に広げて張設し、端部を締結紐１２で固定すると、組み立てが完成する。組み立てが完成すると、図２に示すように中央ジョイント１１ａの位置にある吊り下げリング１５に背負いベルト１６の取付フック１６ａを引っ掛け保持するとともに、両手で左右の支持管又は支持棒１１、１１を把持して持ち上げると、バランスよく持ち上げられ、運搬移動が容易である。
【０００９】
一方、該ネット部材の下部長辺に一定間隔で垂直方向に重力を付与する複数のネット重し１３、・・・を備え、該ネット重し１３はネット部材の張設時には地上にあってネット部材には実質的に重力を与えずネット部材の風圧による吹き上がり開始時には重力を付与して吹き上がりを防止可能である。ネット重し１３には、円錐台形状のゴム重しが用いられ、連結紐等によりネット部材下端に取り付けられるのがよい。このゴム重し１３は、金属重しを使用する場合に比して風による吹き上がり時の危険を回避し、さび汚れを防止することもできる。
【図面の簡単な説明】
【００１０】
【図１】本考案の一実施形態の防護ネットの正面図である。
【図２】防護ネットの持ち運び保持状態を示す説明図である。
【図３】本考案の構成を示す分解斜視図である。
【符号の説明】
【００１１】
１０  防護ネット部材
１１  支持管又は支持棒
１５  吊り下げリング
１６  背負いベルト  
【図１】
0003149175.tif 000003
【図２】
0003149175.tif 000004
【図３】
0003149175.tif 000005